(57)【要約】【課題】環境汚染物質の濃度が高い地域に建てられた建物において、環境汚染物質に汚染されずに隣の部屋、及び隣の建物へ移動可能とする。【解決手段】建物群１０は、屋外２８より空気圧が高くされ上下へ抜ける共用空間が設けられた建物１２Ａ、１２Ｂ、１２Ｃと、建物１２Ａ、１２Ｂ、１２Ｃに設けられ共用空間と面する複数の部屋と、敷地内に複数棟構築された建物１２Ａ、１２Ｂ、１２Ｃの共用空間同士を連結する気密性を備えた連結通路１５０と、少なくとも１つの共用空間と連結して設けられ、屋外からの外気の侵入を制限して共用空間へ入退室できるエントランス１４と、を有する。【選択図】図１
2013170434.tif 000002
【特許請求の範囲】
【請求項１】
屋外より空気圧が高くされ上下へ抜ける共用空間が設けられた建物と、
前記建物に設けられ前記共用空間と面する複数の部屋と、
敷地内に複数棟構築された前記建物の前記共用空間同士を連結する気密性を備えた連結通路と、
少なくとも１つの前記共用空間と連結して設けられ、屋外からの外気の侵入を制限して前記共用空間へ入退室できるエントランスと、
を有する建物群。
【請求項２】
前記共用空間と前記連結通路は直線上に配置され、両端部に配置された前記建物の前記共用空間には、前記エントランスがそれぞれ設けられている請求項１に記載の建物群。
【請求項３】
前記建物の部屋には、住戸、診察室、病室、教室、幼稚園、保育所、共用集会室、共用運動施設及び屋内植物栽培施設の少なくとも１つが設けられている請求項１又は２に記載の建物群。
【請求項４】
前記建物の少なくとも１つは、集合住宅棟、病院棟、学校棟、共用施設棟及び屋内植物栽培施設棟のいずれかとされている請求項１又は２に記載の建物群。
【発明の詳細な説明】
【技術分野】
【０００１】
本発明は、建物群に関する。
【背景技術】
【０００２】
屋外における、いわゆる環境汚染物質（花粉、排気ガス又は放射性物質等）の濃度が高い地域では、建物の気密性を高めて建物内部を屋外と仕切り、生活空間である建物内部を清浄に維持している。このような建物においては、これらの環境汚染物質を建物の出入口で除去し、建物内部へ入り込むのを抑制する建物構造が求められている。
例えば、花粉除去を目的とし、建物内部に花粉を持ち込ませないように、建物の外側で衣服等に付着した花粉を除去する送風設備を玄関先に備えた建物が提案されている（特許文献１）。
【０００３】
特許文献１に記載された建物（花粉配慮建物）は、玄関先に備えたスリット状の吹き出し口から気流を吹き出し、建物内部へ入る前に、衣服等に付着した花粉を吹き飛ばして洗浄する構成である。更に、建物内部の圧力を外部より高く保つと共に、換気の際に、建物内に取り込む外気中の花粉を分離除去することで、建物内部への花粉の侵入を阻止している。また、侵入を阻止しきれなかった花粉は、建物内部へ放散する帯電した水分子や、床面に塗布又は含浸させた不活化剤で不活化させている。
【０００４】
しかし、特許文献１の花粉配慮建物は、一戸の住宅を対象とした技術である。このため、例えば、同じ集合住宅の建物内であっても、他の住宅を訪問する場合には、自宅を出て、花粉濃度が高い共用空間を通り、他の住宅まで移動しなければならない。
【先行技術文献】
【特許文献】
【０００５】
【特許文献１】特開２００７−２８４９８５号公報
【発明の概要】
【発明が解決しようとする課題】
【０００６】
本発明は、上記事実に鑑み、環境汚染物質の濃度が高い地域に建てられた建物群において、環境汚染物質に汚染されずに同じ建物内の他の部屋、及び隣接する建物へ移動可能とすることを目的とする。
【課題を解決するための手段】
【０００７】
請求項１に記載の発明に係る建物群は、屋外より空気圧が高くされ上下へ抜ける共用空間が設けられた建物と、前記建物に設けられ前記共用空間と面する複数の部屋と、敷地内に複数棟構築された前記建物の前記共用空間同士を連結する気密性を備えた連結通路と、少なくとも１つの前記共用空間と連結して設けられ、屋外からの外気の侵入を制限して前記共用空間へ入退室できるエントランスと、を有することを特徴としている。
【０００８】
請求項１に記載の発明によれば、建物の空気圧が屋外より高くされているため、屋外の環境汚染物質が建物内に侵入しにくい。また、建物内には、上下へ抜ける共用空間が設けられ、部屋は共用空間と面して設けられている。共用空間へは、エントランスを通じて、屋外から入退出できる。エントランスでは、屋外からの外気の侵入を制限して、環境汚染物質が建物内へ侵入しないようにしているので、共用空間は、部屋と同様に快適な環境が保たれる。
また、敷地内に複数棟構築された建物の共用空間は、連結通路で連結され、気密性が保たれている。このため、屋外の環境汚染物質に晒されずに同じ建物内の他の部屋、及び隣接する建物へ移動でき、環境汚染物質に触れる機会を減らすことができる。
【０００９】
請求項２に記載の発明は、請求項１に記載の建物群において、前記共用空間と前記連結通路は直線上に配置され、両端部に配置された前記建物の前記共用空間には、前記エントランスがそれぞれ設けられていることを特徴としている。
【００１０】
請求項２に記載の発明によれば、共用空間と連結通路とで、建物群の中に環境汚染物質が除かれた大通りが形成される。
これにより、お隣さん同士、及び隣接する建物同士の緊密なコミュニティを形成する場を提供できる。また、両端部に配置された建物の共用空間にエントランスがそれぞれ設けられるので、エントランス数を最小にできる。
【００１１】
請求項３に記載の発明は、請求項１又は２に記載の建物群において、前記建物の部屋には、住戸、診察室、病室、教室、幼稚園、保育所、共用集会室、共用運動施設及び屋内植物栽培施設の少なくとも１つが設けられていることを特徴としている。
【００１２】
請求項３に記載の発明によれば、建物の中に住戸、診察室、病室、教室、幼稚園、保育所、共用集会室、共用運動施設及び屋内植物栽培施設等の日常生活に必要な施設を提供することができる。これにより、環境汚染物質の濃度が高い地域においても、日常生活環境を維持することができる。
【００１３】
請求項４に記載の発明は、請求項１又は２に記載の建物群において、前記建物の少なくとも１つは、住宅棟、病院棟、学校棟、共用施設棟及び屋内植物栽培施設棟のいずれかとされていることを特徴としている。
【００１４】
請求項４に記載の発明によれば、建物群の中の建物の少なくとも１つが住宅棟、病院棟、学校棟、共用施設棟及び屋内植物栽培施設棟のいずれかとされている。これにより、環境汚染物質の濃度が高い地域においても、それぞれの建物内部で日常生活に必要な空間を提供することができ、日常の生活環境を維持することができる。
【発明の効果】
【００１５】
本発明は、上記構成としてあるので、環境汚染物質の濃度が高い地域に建てられた建物において、環境汚染物質に汚染されずに同じ建物内の他の部屋、及び隣接する建物へ移動可能とすることができる。
【図面の簡単な説明】
【００１６】
【図１】は、本発明の第１の実施の形態に係る集合住宅棟の建物群の外観斜視図である。
【図２】（Ａ）は、本発明の第１の実施の形態に係る集合住宅棟の１階の間取り例を示す平面図であり、（Ｂ）は、２階の間取り例を示す平面図である。
【図３】は、本発明の第１の実施の形態に係る集合住宅棟におけるエントランスの基本構成及び入退出経路を示す平面図である。
【図４】（Ａ）は、本発明の第１の実施の形態に係る集合住宅棟における共用空間の基本構成、及び入退出経路を示す１階の平面図であり、（Ｂ）は、２階の平面図である。
【図５】は、本発明の第１の実施の形態に係る集合住宅棟の基本構成を示す梁間方向断面図である。
【図６】は、本発明の第１の実施の形態に係るエントランスを制御するコントローラの制御概要を説明するためのブロック図である。
【図７】は、本発明の第１の実施の形態に係るエントランス、及び共用空間の入室経路と制御概要を示すブロック図である。
【図８】は、本発明の第１の実施の形態に係るエントランス及び共用空間の退室経路と制御概要を示すブロック図である。
【図９】（Ａ）は、本発明の第２の実施の形態に係る小学校棟の建物群の１階の間取り例を示す平面図であり、（Ｂ）は、２階の間取り例を示す平面図である。
【図１０】（Ａ）は、本発明の第３の実施の形態に係る幼稚園棟の建物群の１階の間取り例を示す平面図であり、（Ｂ）は、２階の間取り例を示す平面図である。
【図１１】（Ａ）は、本発明の第３の実施の形態に係る病院棟の建物群の１階の間取り例を示す平面図であり、（Ｂ）は、２階の間取り例を示す平面図である。
【図１２】（Ａ）は、本発明の第４の実施の形態に係る中層の集合住宅棟の建物群の１階の間取り例を示す平面図であり、（Ｂ）は、２階から最上階の間取り例を示す平面図である。
【図１３】は、本発明の第４の実施の形態に係る中層の集合住宅棟の間取り例を示す平面図である。
【発明を実施するための形態】
【００１７】
（第１の実施の形態）
図１は、第１の実施の形態に係る建物群１０の外観斜視図であり、建物群１０は、同じ間取りの集合住宅棟１２Ａ、１２Ｂ、１２Ｃを有している。図２（Ａ）は、代表例としての集合住宅棟１２Ａの１階平面図を示し、図２（Ｂ）は２階平面図を示している。
図１、２を用いて、建物群１０の全体構成について説明する。
【００１８】
集合住宅棟１２Ａ、１２Ｂ、１２Ｃはいずれも２階建てとされ、桁行き方向を同じ方向へ向けて直線上に並べられている。集合住宅棟１２Ａ、１２Ｂの間、及び集合住宅棟１２Ｂ、１２Ｃの間は、連結通路１５０で連結されている。
集合住宅棟１２Ａ、１２Ｃには、１階部分の側壁１３０の中央部から屋外空間へ向けてせり出してエントランス１４が設けられている。エントランス１４は、屋外空間と屋根や壁で仕切られた独立した空間とされている。なお、集合住宅棟１２Ｃのエントランスは図１には記載されていない。
【００１９】
集合住宅棟１２Ａ、１２Ｂ、１２Ｃは、いずれも同じ間取りであるため、集合住宅棟１２Ａを代表例にとり説明する。
集合住宅棟１２Ａの内部には、エントランス１４と連通する共用空間４０Ａが設けられ、集合住宅棟１２Ａへの入退出には、エントランス１４と共用空間４０Ａが利用される。共用空間４０Ａは集合住宅棟１２Ａの桁行方向に、対向する外壁間に渡る範囲に設けられ、共用空間４０Ａは、集合住宅棟１２Ａの地上階から屋根１０８Ａまでの吹き抜け空間とされている（図５参照）。
【００２０】
集合住宅棟１２Ａと集合住宅棟１２Ｂの間には、共用空間４０Ａと共用空間４０Ｂを連結する連結通路１５０が設けられている。また、集合住宅棟１２Ｂと集合住宅棟１２Ｃの間にも、連結通路１５０が設けられている。
連結通路１５０は、床、屋根及び側壁で囲まれ、気密性を有する通路とされている。これにより、連結通路１５０の内部の空気圧を外気より高くできる。また、連結通路１５０を利用することで、外気と接することなく、集合住宅棟１２Ａと集合住宅棟１２Ｂの間、集合住宅棟１２Ｂと集合住宅棟１２Ｃの間を移動することができる。
【００２１】
図２（Ａ）は、集合住宅棟１２Ａの１階平面図であり、住戸４２Ａと住戸４２Ｃ、住戸４２Ｃと住戸４２Ｄが共用空間４０Ａを挟んで設けられている。また、図２（Ｂ）は２階平面図であり、１階と同じように、共用空間４０Ａを挟んで住戸４２Ｅと住戸４２Ｆが設けられている。
共用空間４０Ａに面して、各住戸４２Ａ〜４２Ｆの玄関１１２Ａ〜１１２Ｆやバルコニー１２８Ａ〜１２８Ｆが設けられており、各住戸４２Ａ〜４２Ｆへの出入りは、共用空間４０から可能とされている。
【００２２】
集合住宅棟１２Ａは、気密性の高い、密閉された構造とされている。具体的には、集合住宅棟１２Ａの外壁１３０は鉄筋コンクリート（ＲＣ）壁とされ、環境汚染物質が付着しづらい塗料で塗装されている。外壁１３０の窓１３２は必要最小限の開口面積とされている。また、内装の仕上げもできるだけ平滑な材料が使用されている。
【００２３】
集合住宅棟１２Ａの屋根１０８は、雨の流れ易い金属葺きの勾配屋根とされ、軒先には雨樋は設けられてなく、直接側溝へ雨水を流す構成とされている。これにより、雨樋に塵埃等が溜まるのを防ぐことができる。また、集合住宅棟１２Ａの設備機器類１３６は屋外に設けられている。
【００２４】
図３には、エントランス１４の拡大図を示す。エントランス１４には、エントランス１４を通過する人へ圧縮空気を吹付け、衣服等に付着した環境汚染物質を除去する２台のエアシャワー室１６Ａ、１６Ｂが設けられている。エントランス１４は、エアシャワー室１６Ａ、１６Ｂにより、集合住宅棟１２への出入通路となる入退出室１８と、集合住宅棟１２への進入通路となる進入室２０とに区画されている。
【００２５】
エントランス１４の屋外２８と接する空間は、通常のエントランスと同じ構成であり、風除け室４４と玄関４６が設けられている。風除け室４４と屋外２８の間は防風ドア４８で仕切られ、風除け室４４と玄関４６の間は玄関ドア５０で仕切られている。
入退出室１８は玄関４６と接して設けられ、第１外部開閉ドア２６により、玄関４６と入退出室１８との間の通路が開閉されている。
【００２６】
入退出室１８は、集合住宅棟１２へ入るための準備室であり、周囲空間と空気の移動が抑制された閉じた空間とされている。
入退出室１８には、屋外で使用した靴（履物）を収納する靴箱３６が設けられている。靴箱３６は、個人毎（１足毎）に靴を収納する収納部が設けられた扉付の靴ロッカーであり、集合住宅棟１２の全ての住人用及び来客用に、複数の収納部が用意されている。
【００２７】
靴箱３６のそれぞれの内部には、収納された靴の重量を検出する重量センサ８６が設けられ、靴箱３６に収納された状態で靴の重量を検出することができる。検出結果は、後述するコントローラ１３８へ出力される。これにより、重量センサ８６の出力から靴の収納の有無を判断することができる。
【００２８】
また、入退出室１８には、エアシャワー室１６Ａ、１６Ｂの入口ドア２２、手洗い用の流し台５２、及び郵便受け５４が設けられている。
エアシャワー室１６Ａ、１６Ｂは、並列に２台が設けられ、いずれも、中央部のエアシャワー部を挟んで、入退出室１８側に入口ドア２２、進入室２０側に出口ドア２４が設けられている。なお、エアシャワー室１６の設置台数は、本実施例では２台としているが、集合住宅棟１２の入居者数等に基づいて決定すればよい。
【００２９】
これにより、入退出室１８から、入口ドア２２を開けてエアシャワー室１６内へ入室可能となる。その後、出口ドア２４を開けて、エアシャワー室１６内から進入室２０へ移動可能となる。なお、入口ドア２２と出口ドア２４の開閉は、後述するコントローラ１３８により、一方通行に制御される。
【００３０】
また、エアシャワー室１６の内部には、赤外線センサ８８が取り付けられ、エアシャワー室１６内へ人が入室したことを検出することができる。検出結果は、後述するコントローラ１３８へ出力される。これにより、赤外線センサ８８の出力に基づいてエアシャワー室１６の運転（エアシャワーのＯＮ、ＯＦＦ運転）を制御することができる。
【００３１】
進入室２０には、屋内用の履物を収納する屋内履物箱３８が備えられている。これにより、エアシャワー室１６を通過し、環境汚染物質が除去された状態で、屋内用の履物を履いて進入室２０から集合住宅棟１２Ａの共用空間４０Ａに移動することができる。
また、進入室２０には、コントローラ１３８が取り付けられている。後述するように、コントローラ１３８は、エントランス１４を中心に集合住宅１０全体を制御する。
【００３２】
入退出室１８と集合住宅棟１２Ａとの間には、退出準備室３０が設けられている。退出準備室３０は、気密性を高めた密閉空間とされ、入退出室１８より空気圧が高くされている。
退出準備室３０には、開放されると集合住宅棟１２Ａから退出準備室３０へ移動可能とする第１退出ドア３２と、開放されると退出準備室３０から入退出室１８へ移動可能とする第２退出ドア３４が設けられている。
【００３３】
また、退出準備室３０には、退出者の入室を検出する赤外線センサ８９と、空気圧を検出する空気圧センサ９０が取り付けられている。赤外線センサ８９と空気圧センサ９０の検出結果は、いずれもコントローラ１３８へ出力される。
【００３４】
ここに、退出準備室３０は、入退出室１８より空気圧が高くされているので、入退出室１８の環境汚染物質が退出準備室３０に入るのが抑制される。また、第１退出ドア３２と第２退出ドア３４は、後述するように、同時には開放しない構成とされているので、入退出室１８から退出準備室３０を経て集合住宅棟１２Ａの内部へ環境汚染物質が流入するのを抑制できる。また、第２退出ドア３４を退出準備室３０側からのみ開放可能とすることで、間違って入退出室１８側から退出準備室３０へ、エアシャワー室１６を通過していない人が入って来るのを防止できる。
【００３５】
次に、共用空間４０Ａについて図４、５を用いて説明する。
共用空間４０Ａは、集合住宅棟１２Ａの桁行方向の中央部に、集合住宅棟１２Ａの一方の外壁１３０から対向する外壁１３０までの範囲に設けられ、地上階の床面は共用の中庭１４０とされている。また、共用空間４０Ａの中央部には、１階と２階の移動を可能とする階段１１０Ａが設けられている。
【００３６】
共用空間４０Ａに面して、各住戸４２Ａ〜４２Ｆの玄関１１２Ａ〜１１２Ｆが設けられ、共用空間４０Ａから各住戸４２Ａ〜４２Ｆにアプローチすることができる。
なお、共用空間４０Ａは、集合住宅棟１２の梁間方向に設けてもよいし、桁行方向と梁間方向の両方に設けてもよい。
【００３７】
共用空間４０Ａの階段１１０Ａ
の側壁には、空気中の環境汚染物質の濃度を表示するモニター１４２が設けられている。モニター１４２は、例えば、共用空間４０Ａや屋外２８等予め設定した場所の空気清浄度や放射能汚染度等を表示する。表示内容は、建物群１０が建てられた周囲の環境汚染物質によって決定される。
このモニター１４２により、いつでも、集合住宅棟１２Ａの内部が安全であることの確認や、屋外２８の環境汚染物質濃度を把握することができる。
【００３８】
共用空間４０Ａの屋根１０８には、中庭１４０に太陽光を取り入れるトップライト１１４が設けられている。これにより、トップライト１１４から中庭１４０へ太陽光を取り入れることができる。この結果、ベランダ１２８Ａ〜１２８Ｆで日光浴を楽しむことや、中庭１４０で植栽１１６を楽しむことが可能となり、共用空間４０Ａの開放感をより高めることができる。
【００３９】
また、共用空間４０Ａには換気装置１１８が設けられている。換気装置１１８により、集合住宅棟１２の内部の空気が屋外２８の空気と入れ替えられる。
換気装置１１８の給気部はエントランス１４の上部に設けられており、給気部には、空気中の環境汚染物質を除去するフィルター１２０、外気を給気する送風ファン１２２、空気を室内に送るダクト１１９が備えられ、ダクトスペース１２６を介して、新鮮空気を各住戸の室内に供給している。また、図示しない排気ファン、排気ダクトにより室内空気が屋外へ排出される。
【００４０】
給気される空気の流れは、矢印１２４の方向に屋外２８から室内に取り込まれ、清浄な空気が建物内部に供給される。また、給気側に設けられたフィルター１２０は、集合住宅棟１２Ａの屋外側からメンテナンスが可能な位置（外壁１３０の近く）に配置されている。これにより、集合住宅棟１２Ａの内部に環境汚染物質を持ち込むことなくフィルター１２０のメンテナンスを行うことができる。
【００４１】
集合住宅棟１２Ａの内部の空気圧は、換気装置１１８により屋外２８より高く調整されている。具体的には、換気装置１１８の給気側からの給気空気量と、換気装置１１８の排気側からの排気空気量を調整することで、集合住宅棟１２内部の空気圧を調整している。
【００４２】
これにより、個々の住戸４２Ａ〜４２Ｆに換気装置１１８を設けなくても、集合住宅棟１２Ａの内部の全ての住戸４２Ａ〜４２Ｆの空気圧を調整することができる。この結果、設備機器類のコストを削減できる。また、環境汚染物質の濃度が高い地域に設けられた建物に、効率よく清浄な空間を提供することができる。
【００４３】
次に、住戸について説明する。図２、５に示すように、集合住宅棟１２Ａに設けられた住戸４２Ａと住戸４２Ｃ、住戸４２Ｂと住戸４２Ｄ、住戸４２Ｅと住戸４２Ｆは、共用空間４０Ａを挟んで配置されている。また、各住戸４２Ａ〜４２Ｆの玄関１１２Ａ〜１１２Ｆ、及びバルコニー１２８Ａ〜１２８Ｆは、開放感のある共用空間４０Ａに面して設けられている。これにより、環境汚染物質の濃度が高い地域に建てられた住宅棟であっても、集合住宅棟１２の共用空間４０Ａを生活空間の一部として利用することが可能となる。
【００４４】
更に、各住戸４２Ａ〜４２Ｆの間取りにおいて、共用空間４０Ａ側には、家族が集うリビング・ダイニング１３２Ａ〜１３２Ｆが設けられ、共用空間４０Ａと反対側の外壁側には、個室空間としての和室１３４Ａ〜１３４Ｆが設けられている。これにより、住戸全体の生活環境を向上させることができる。また、２階には、階段の前後に２つの吹き抜け空間１４３、１４４が設けられ、２階の住戸４２Ｅ、４２Ｆにおいても、住戸全体の生活環境を向上させることができる。
【００４５】
図６に、集合住宅棟１２Ａを制御するコントローラ１３８の概要を示す。コントローラ１３８には、図示しないＣＰＵ、ＲＯＭ、ＲＡＭが組み込まれ、ＲＯＭに記憶されたプログラムに基づいて、集合住宅棟１２Ａを制御する。なお、アクチュエータやインターフェース類の記載は省略している。
【００４６】
コントローラ１３８へ入力されるデータには、上述したように、重量センサ８６からの出力データ、赤外線センサ８８、８９からの出力データ、空気圧センサ９０からの出力データがある。
また、コントローラ１３８の制御対象には、エアシャワー室１６Ａ、１６Ｂの入口ドア２２と出口ドア２４の開閉、エアシャワー室１６Ａ、１６Ｂのエアシャワー運転、退出準備室３０の第１退出ドア３２、第２退出ドア３４の開閉、及び換気装置１１８の調整による集合住宅棟１２Ａの空気圧調節、入退出室３０の空気圧調節がある。
【００４７】
次に、エントランス１４を通過する入室者、退出者の移動順序を、コントローラ１３８の作動と併せて図７、８のフロー図を用いて説明する。
先ず、入室時について説明する。
図３、４、６、７に示すように、入室者は矢印９２で示す方向、即ち、屋外２８から風除け室４４を経て玄関４６へ入り（ステップ６０）、玄関４６から、入退出室１８へ移動する。入退出室１８で靴を脱いで靴箱３６へ入れる（ステップ６１）。
【００４８】
このときコントローラ１３８は、靴箱３６に設けられた重量センサ８６から、収納された靴の重量を取り込む。検出された重量が予め設定した範囲内にあるとき、収納された物が靴と判断する（ステップ６２）。ここに、誤検出を防止するため、収納された物を靴と判断するための許容レンジを予め設定しておくのが望ましい。
また、同時に複数の靴が収納された時の優先順序や、２つのエアシャワー室１６Ａ、１６Ｂへの振り分け方法等も予め定めておくのが望ましい。
【００４９】
続いて、エアシャワー室１６へ移動する（ステップ６３）。このときコントローラ１３８は、収納された物が靴と判断したとき、エアシャワー室１６Ａ、１６Ｂの出口ドア２４が閉じているのを確認した後、エアシャワー室１６Ａ、１６Ｂの入口ドア２２を開ける。これは、入口ドア２２と出口ドア２４が同時に開放され、エアシャワー室１６Ａ、１６Ｂを通じて、環境汚染物質が入退出室１８から進入室２０へ流入するのを防止するためである。
【００５０】
また、入室者がエアシャワー室１６へ入ったのを赤外線センサ８８で確認した後、入口ドア２２を閉じて、エアシャワーを、予め定められが設定時間だけ運転させる。なお、エアシャワーの運転開始は、入室者の手動操作でも良い。このとき、エアシャワーの運転時間は、集合住宅棟１２の管理者が予め設定した時間だけ連続運転させ、時間経過と共に自動で停止させればよい（ステップ６４）。
【００５１】
他の方法として、エアシャワー室１６の内部に、環境汚染物質濃度を検出する図示しない濃度センサを取り付け、この濃度センサの出力に基づいてエアシャワーの運転時間を決定してもよい。これにより、環境汚染物質濃度を確実に目標値以下に低減させることができる。
【００５２】
入室者は、続いて、エアシャワー室１６から進入室２０へ移動する。進入室２０には室内履き用の収納箱３８が設けられており、室内履きを履いて共用空間４０Ａに入り、共用空間４０Ａから、それぞれの住戸へ移動する（ステップ６５）。
また、コントローラ１３８は、所定のインターバルで室内の空気圧を確認し、空気圧が設定範囲内に入るよう、換気装置１１８の給気ファンと排気ファンを調整する（ステップ６６）。
【００５３】
続いて、退出時について説明する。
退出時には、図３、４、６、８に示すように、屋外２８に出ようとする退出者は、矢印９４で示す方向、即ち、集合住宅棟１２Ａの各住戸４２Ａ〜４２Ｆから共用空間４０Ａを通り、一旦進入室２０へ進む（ステップ６７）。進入室２０で室内履きを脱いで、退出準備室３０に入る（ステップ６８）。
このときコントローラ１３８は、赤外線センサ８９で退室者を確認した後、第２退出ドア３４が閉じているのを確認して第１退出ドア３２を開放する（ステップ６９）。
【００５４】
次に、退出者は、退出準備室３０から入退出室１８へ移動する（ステップ７０）。このときコントローラ１３８は、第１退出ドア３２が閉じているのを確認し、更に、退出準備室３０の空気圧が入退出室１８より高いのを確認した後に、第２退出ドア３４を開放する（ステップ７１）。なお、空気圧が所定の範囲内にないときは、換気装置１１８の給気ファンと排気ファンを調整して、空気圧を所定の範囲内に調整する。
【００５５】
続いて、退室者は、入退出室１８で靴箱３６から靴を取り出し、靴を履いて第１外部開閉ドア２６、玄関ドア５０、防風ドア４８を通り屋外へ出る（ステップ７２）。
【００５６】
以上説明したように、本構成とすることにより、集合住宅棟１２Ａ、１２Ｂ、１２Ｃへ入るときは、エアシャワー室１６Ａ、１６Ｂを通らないと、入退出室１８から進入室２０へ移動できず、集合住宅棟１２Ａ、１２Ｂ、１２Ｃには入れない。この結果、集合住宅棟１２Ａ、１２Ｂ、１２Ｃへ入る人の衣服等に付着した、いわゆる環境汚染物質（花粉、排気ガス又は放射性物質等）をエアシャワー室１６Ａ、１６Ｂで除去することができる。これにより、人を介して屋外２８から環境汚染物質が集合住宅棟１２Ａ、１２Ｂ、１２の内部へ持ち込まれるのを抑制することができる。
【００５７】
また、建物１２Ａ、１２Ｂ、１２Ｃに入る人は、履物を脱いで靴箱３６へ入れて、重量センサ８６により履物が収納されたことが検出されないと、エアシャワー室１６Ａ、１６Ｂに入室できない構成とされている。この結果、履物を履いたまま、履物の底に付いた環境汚染物質が、屋外から建物へ持ち込まれるのを抑制することができる。
即ち、衣服に付着した環境汚染物質のみならず、靴底に付着した環境汚染物質を建物内部に持ち込ませないエントランス１４を提供することができる。
【００５８】
なお、第１の実施の形態では、エントランス１４において、履物を脱いで靴箱３６へ入れて、重量センサ８６により履物が収納されたことが検出されないと、エアシャワー室１６Ａ、１６Ｂに入室できない構成とした。しかし、この構成に限定されることはなく、環境汚染物質の種類や濃度により、靴底への境汚染物質の付着が問題にならない場合がある。このような場合においては、重量センサ８６による履物の検出を省略し、エアシャワー室１６Ａ、１６Ｂのドアの開閉を手動で行なわせてもよい。
これにより、靴箱３６の構造やコントローラ１３８での制御を簡略化できる。
【００５９】
なお、第１の実施の形態では、集合住宅棟１２Ａ、１２Ｂ、１２Ｃの内部に複数の住戸４２Ａ〜４２Ｆが設けられた集合住宅１０の場合について説明した。しかし、これに限定されることはなく、例えば、集合住宅棟１２Ａ、１２Ｂ、１２Ｃの内部の一部に、診察室、病室、学校の教室、幼稚園の保育室、保育所、共用集会室、屋内プール等の共用運動施設及び温室や植物栽培装置等の屋内植物栽培施設等が設けられていてもよい。
【００６０】
更に、第１の実施の形態では、３棟の建物がすべて集合住宅棟１２Ａ、１２Ｂ、１２Ｃの場合について説明したが、これに限定されることはなく、建物の数は３つより多くても良いし、少なくてもよい。また、建物の階数は２階より多くても良いし、少なくても良い。
更に集合住宅棟１２Ａ、１２Ｂ、１２Ｃのみでなく、小学校棟、病院棟、幼稚園棟、共用の集会所や屋内プール等の共用の運動施設を有する共用施設棟及び屋内植物栽培施設棟等が、同じ建物群１０として連結通路１５０で連結されていてもよい。
【００６１】
これにより、これらの建物が、環境汚染物質濃度が高い地域に建てられていても、衣服に付着した環境汚染物質のみならず、靴底に付着した環境汚染物質の建物内部への持ち込みを抑制することができる。また、環境汚染物質に晒されることなく他の部屋や他の建物へ移動可能となる。
【００６２】
（第２の実施の形態）
図９の平面図に示すように、第２の実施の形態に係る建物群１５１は、２階建てとされた３棟の小学校棟１５２Ａ、１５２Ｂ、１５２Ｃが、連結通路１５０で連結された構成である。第１の実施の形態とは、集合住宅棟１２Ａ、１２Ｂ、１２Ｃを小学校棟１５２Ａ、１５２Ｂ、１５２Ｃに置き換えた点が相違する。相違点を中心に説明する。
【００６３】
図９（Ａ）の１階平面図、及び図９（Ｂ）の２階平面図には、小学校棟１５２Ａ、１５２Ｂ、１５２Ｃの概略のレイアウトを示している。
小学校棟１５２Ａ、１５２Ｃには、１階部分の側壁１３０の中央部から屋外空間へ向けてせり出してエントランス１４が設けられている。エントランス１４は、屋外空間と屋根や壁で仕切られた独立した空間とされている。
【００６４】
小学校棟１５２Ａの１階には、共用空間４０Ａにホール１５４Ａと階段１１０Ａが形成され、ホール１５４Ａに面して会議室１５５、応接室１５６、事務室１５７、校長室１５８、トイレ１５９、職員室１６０が設けられている。
小学校棟１５２Ａの２階には、階段１１０Ａ及び吹き抜け空間１４３Ａ、１４４Ａを挟んで廊下１７７Ａが設けられ、廊下１７７Ａを挟んで教室１７２Ａと教室１７４Ａ、教室１７３Ａと教室１７５Ａが設けられている。
【００６５】
小学校棟１５２Ｂの１階には、同じく共用空間４０Ｂにホール１５４Ｂと階段１１０Ｂが形成され、ホール１５４Ｂに面して体育室１６２、集会室１６３、トイレ１６４、保健室１６５、図書室１６６が設けられている。
小学校棟１５２Ｂの２階には、階段１１０Ｂ及び吹き抜け空間１４３Ｂ、１４４Ｂを挟んで廊下１７７Ｂが設けられ、廊下１７７Ｂを挟んで教室１７２Ｂと教室１７４Ｂ、教室１７３Ｂと教室１７５Ｂが設けられている。
【００６６】
小学校棟１５２Ｃの１階には、同じく共用空間４０Ｃにホール１５４Ｃと階段１１０Ｃが形成され、ホール１５４Ｃに面して配膳室１６７、理科室１６８、トイレ１６９、倉庫１７０、及び音楽室１７１が設けられている。
小学校棟１５２Ｃの２階には、階段１１０Ｃ及び吹き抜け空間１４３Ｃ、１４４Ｃを挟んで廊下１７７Ｃが設けられ、廊下１７７Ｃを挟んで教室１７２Ｃと教室１７４Ｃ、教室１７３Ｃと教室１７５Ｃが設けられている。
【００６７】
小学校棟１５２Ａと小学校棟１５２Ｂの間には、共用空間４０Ａと共用空間４０Ｂを連結する連結通路１５０が設けられている。連結通路１５０は、床、屋根、側壁で囲まれ気密性を有する通路とされている。これにより、外気と接することなく、小学校棟１５２Ａと小学校棟１５２Ｂの間が移動可能とされている。
小学校棟１５２Ｂと小学校棟１５２Ｃの間にも、共用空間４０Ｂと共用空間４０Ｃを連結する連結通路１５０が設けられている。これにより、小学校棟１５２Ｂと小学校棟１５２Ｃの間を、外気と接することなく移動することができる。
【００６８】
本構成とすることにより、エントランス１４で、児童や教職員の出入り時において、環境汚染物質の持ち込みが禁止され、小学校棟１５２Ａ、１５２Ｂ、１５２Ｃ内が清浄に保たれる。更に、小学校棟１５２Ａ、１５２Ｂ、１５２Ｃ、及び連結通路１５０が屋外より、空気圧が高くされているので、屋外からの環境汚染物質の進入が抑制される。
また、共用空間４０に面して教室や職員室等の部屋を設けることで、それぞれの部屋を開放感のある空間とすることができる。
【００６９】
なお、本実施の形態では、建物群１５１の３つの建物をすべて小学校棟１５２Ａ、１５２Ｂ、１５２Ｃとしたが、これに限定されることはなく、建物の数は３つより多くても良いし、少なくてもよい。また、建物の階数は２階より多くても良いし、少なくても良い。
【００７０】
また、小学校棟１５２Ａ、１５２Ｂ、１５２Ｃの内部に、診療所、幼稚園の保育室、共用の集会所、屋内プール等の共用の運動施設等が設けられていてもよい。
さらに小学校棟１５２Ａ、１５２Ｂ、１５２Ｃのみでなく、病院棟、幼稚園棟、共用の集会所や屋内プール等の共用の運動施設を有する共用施設棟等が、同じ建物群１５１として連結通路１５０で連結されていてもよい。
他の構成は、第１の実施の形態と同じであり説明は省略する。
【００７１】
（第３の実施の形態）
図１０の平面図に示すように、第３の実施の形態に係る建物群１８０は、２階建てとされた２棟の幼稚園棟１８２Ａ、１８２Ｂ、及び１棟の集合住宅棟１８３が、連結通路１５０で連結された構成である。第１の実施の形態とは、集合住宅棟１２Ａ、１２Ｂを幼稚園棟１８２Ａ、１８２Ｂに置き換えた点が相違する。相違点を中心に説明する。
【００７２】
図１０（Ａ）は１階平面図を、図１０（Ｂ）は２階平面図を示している。幼稚園棟１８２Ａ、１８２Ｂは、桁行き方向を同じ方向へ向けて直線上に並べられている。幼稚園棟１８２Ａと集合住宅棟１８３には、１階部分の側壁１３０の中央部から屋外空間へ向けてせり出してエントランス１４が設けられている。エントランス１４は、屋外空間と屋根や壁で仕切られた独立した空間とされている。
【００７３】
幼稚園棟１８２Ａの１階には、共用空間４０Ａにホール１８４Ａと階段２００Ａが形成され、ホール１８４Ａに面して２つの保育室１８５Ａ、１８６Ａ、保健室１８８、職員室１８９、事務室１９０、トイレ１８７、１９１Ａが設けられている。
幼稚園棟１８２Ａの２階には、階段２００Ａ及び２つの吹き抜け空間２０２Ａ、２０３Ａを挟んで通路２０１Ａが設けられ、通路２０１Ａと面して４つの保育室１９４Ａ、１９５Ａ、１９６Ａ、１９７Ａ、トイレ１９８Ａ、１９９Ａが設けられている。
【００７４】
幼稚園棟１８２Ｂの１階には、共用空間４０Ｂにホール１８４Ｂと階段２００Ｂが形成され、ホール１８４Ｂと面して２つの保育室１８５Ｂ、１８６Ｂ、遊戯室１９２、ステージ１９３、トイレ１９１Ｂが設けられている。
幼稚園棟１８２Ｂの２階には、階段２００Ｂ及び２つの吹き抜け空間２０２Ｂ、２０３Ｂを挟んで通路２０１Ｂが設けられ、通路２０１Ｂと面して４つの保育室１９４Ｂ、１９５Ｂ、１９６Ｂ、１９７Ｂ、トイレ１９８Ｂ、１９９Ｂが設けられている。
【００７５】
集合住宅棟１８３は、第１の実施の形態で説明した集合住宅棟１５２Ｃと同じ構成であり説明は省略する。幼稚園棟１８２Ｂと集合住宅棟１８３を連結通路１５０で連結することで、外気に晒されることなく、幼稚園棟１８２Ａ、１８２Ｂと集合住宅棟１８３の間を移動できる。
【００７６】
本実施の形態とすることにより、幼稚園児や教職員の出入り時において、エントランス１４で環境汚染物質の持ち込みが禁止され、幼稚園棟１８２Ａ、１８２Ｂ内が清浄に保たれる。また、幼稚園棟１８２Ａ、１８２Ｂが屋外より、空気圧が高くされているので、屋外からの環境汚染物質の進入が抑制される。また、共用空間４０Ａ、４０Ｂに面して、保育室や職員室を設けることで、開放感のある空間を提供できる。
【００７７】
なお、本実施の形態では、建物群２１０の２棟が幼稚園棟１８２Ａ、１８２Ｂの場合について説明した。しかし、これに限定されることはなく、幼稚園棟の数は２棟より多くても良いし、少なくても良い。
さらに、幼稚園棟１８２Ａ、１８２Ｂのみでなく、小学校棟、共用の集会所や屋内プール等の共用の運動施設を有する共用施設棟等が、同じ建物群１８０として連結通路１５０で連結されていてもよい。また建物の階数は２階より多くても良いし、少なくても良い。
他の構成は、第１の実施の形態と同じであり説明は省略する。
【００７８】
（第４の実施の形態）
図１１の平面図に示すように、第４の実施の形態に係る建物群２１０は、３棟の病院棟２１２Ａ、２１２Ｂ、２１２Ｃが、連結通路１５０で連結された構成である。第１の実施の形態とは、集合住宅棟１２Ａ、１２Ｂ、１２Ｃを病院棟２１２Ａ、２１２Ｂ、２１２Ｃに置き換えた点で相違する。相違点を中心に説明する。
【００７９】
病院棟２１２Ａ、２１２Ｂ、２１２Ｃは２階建てとされ、図１１（Ａ）に１階平面図を、図１１（Ｂ）に２階平面図を示している。３棟が、桁行き方向を同じ方向へ向けて直線上に並べられ、病院棟２１２Ａと病院棟２１２Ｂの間、及び病院棟２１２Ｂと病院棟２１２Ｃの間は、連結通路１５０で連結されている。
病院棟２１２Ａには、１階部分の側壁１３０の中央部から屋外空間へ向けてせり出してエントランス１４が設けられている。エントランス１４は、第１の実施の形態で説明したように、屋外空間と屋根や壁で仕切られた独立した空間とされている。
【００８０】
病院棟２１２Ａの１階には、共用空間４０Ａにホール２１４Ａが形成され、ホール２１４Ａには、エレベータ２９０と階段２２９Ａが設けられている。これにより、１階と２階の間を移動できる。
ホール２１４Ａに面して薬局２１５、受付・事務室２１６、病理室２１７、診察室２１８、トイレ２１９、処置室２２０、診察・治療室２２１、病院長室２２２が設けられている。
【００８１】
病院棟２１２Ａの２階には、階段２２９Ａ及び２つの吹き抜け空間２９２Ａ、２９３Ａを挟んで通路２３０Ａが設けられ、通路２３０Ａと面して病室２２３Ａ、２２４Ａ、トイレ２２５Ａ、洗面・入浴室２２６Ａ、リネン室２２７Ａ、ナースセンター２２８Ａが設けられている。病室２２３Ａ、２２４Ａには、入院患者用に、複数のベッドが配置されている。また、それぞれの部屋には、共用空間４０Ａに面して、壁面に開口部が設けられている。
【００８２】
病院棟２１２Ｂの１階には、共用空間４０Ｂにホール２１４Ｂと階段２２９Ｂが形成され、共用空間４０Ｂに面して２つの手術室２３３、２３４、２つの診察・治療室２３５、２３６が設けられている。
病院棟２１２Ｂの２階には、階段２２９Ｂ、及び２つの吹き抜け空間２９２Ｂ、２９３Ｂを挟んで通路２３０Ｂが設けられ、通路２３０Ｂに面して２つの病室２２３Ｂ、２２４Ｂ、トイレ２２５Ｂ、洗面・入浴室２２６Ｂ、リネン室２２７Ｂ、ナースセンター２２８Ｂが設けられている。病室２２３Ｂ、２２４Ｂには、入院患者用に、複数のベッドが配置されている。また、それぞれの部屋には、共用空間４０Ｂに面して、壁面に開口部が設けられている。
【００８３】
病院棟２１２Ｃの１階には、共用空間４０Ｃにホール２１４Ｃと階段２２９Ｃが形成され、共用空間４０Ｃに面してＸ線室２３７、配膳室２３８、２つの診察・治療室２３９、２４０が設けられている。
病院棟２１２Ｃの２階には、階段２２９Ｃ、及び２つの吹き抜け空間２９２Ｃ、２９３Ｃを挟んで通路２３０Ｃが設けられ、通路２３０Ｃと面して病室２２３Ｃ、２２４Ｃ、トイレ２２５Ｃ、洗面・入浴２２６Ｃ、リネン室２２７Ｃ、看護士室２２８Ｃが設けられている。病室２２３Ｂ、２２４Ｂには、入院患者用に、複数のベッドが配置されている。また、それぞれの部屋には、共用空間４０Ｃに面し壁面に開口部が設けられている。
なお、入退出者を一元管理する必要上、病院棟２１２Ｃにはエントランスは設けられていない。
【００８４】
本構成における病院棟２１２Ａ、２１２Ｂ、２１２Ｃは、屋外より空気圧が高くされているので、屋外からの環境汚染物質の進入が抑制される。また、患者の出入り、見舞い客の出入り、病院関係者の出入り時等において、エントランス１４で環境汚染物質の持ち込みが禁止される。この結果、病院棟２１２Ａ、２１２Ｂ、２１２Ｃの内部を清浄に保つことができる。
【００８５】
なお、本実施の形態では、建物群２１０の３棟全てが病院棟２１２Ａ、２１２Ｂ、２１２Ｃの場合について説明した。しかし、これに限定されることはなく、病院棟の数は３棟より多くても良いし、少なくても良い。また、建物の階数は２階より多くても良いし、少なくても良い。
【００８６】
また、病院棟２１２Ａ、２１２Ｂ、２１２Ｃの内部に、幼稚園の保育室、学校の教室、共用の集会所、屋内プール等の共用の運動施設、温室や植物栽培装置等の屋内植物栽培施設等が設けられていてもよい。
さらに、病院棟２１２Ａ、２１２Ｂ、２１２Ｃのみでなく、小学校棟、幼稚園棟、共用の集会所や屋内プール等の共用の運動施設を有する共用施設棟、屋内植物栽培施設棟等が、同じ建物群２１０として連結通路１５０で連結されていてもよい。
他の構成は、第１の実施の形態と同じであり説明は省略する。
【００８７】
（第５の実施の形態）
図１２の平面図に示すように、第５の実施の形態に係る建物群２５０は、中層階（目安として５階建て前後の建物）とされた３棟の集合住宅棟２５２Ａ、２５２Ｂ、２５２Ｃが、連結通路１５０で連結された構成である。
図１２（Ａ）は、集合住宅棟２５２Ａの１階の平面図を示し、図１２（Ｂ）は、同一の間取りとされた２階から最上階までの平面図を示す。
【００８８】
建物群２５０は、集合住宅棟２５２Ａ、２５２Ｂ、２５２Ｃの共用空間２５４Ａ、２５４Ｂ、２５４Ｃを同じ方向へ向けて直線上に並べられ、集合住宅棟２５２Ａと集合住宅棟２５２Ｂが、１階部分で連結通路１５０で連結され、集合住宅棟２５２Ｂと集合住宅棟２５２Ｃが、１階部分で連結通路１５０で連結されている。第１の実施の形態とは、２階建ての集合住宅棟１２Ａ、１２Ｂ、１２Ｃを中層階建ての集合住宅棟２５２Ａ、２５２Ｂ、２５２Ｃに置き換えた点が相違する。相違点を中心に説明する。
【００８９】
なお、集合住宅棟２５２Ａ、２５２Ｂ、２５２Ｃは全て同じ間取りであり、代表例として集合住宅棟２５２Ａを中心に説明する。
図１２（Ａ）に示すように、集合住宅棟２５２Ａと２５２Ｃには、１階部分の側壁の中央部から屋外空間へ向けてせり出してエントランス１４が設けられている。エントランス１４は、第１の実施の形態で説明したように、屋外空間と屋根や壁で仕切られた独立した空間とされている。
【００９０】
集合住宅棟２５２Ａの１階には、エントランス１４と連通する第１共用空間２５４Ａと、第１共用空間２５４Ａと、集合住宅棟２５２Ａの中央部で交差する第２共用空間２５５Ａとが形成されている。第１共用空間２５４Ａと第２共用空間２５５Ａで区画された角部には、４つの住戸２６２Ａ、２６３Ａ、２６４Ａ、２６５Ａが設けられている。住戸２６２Ａ、２６３Ａ、２６４Ａ、２６５Ａには、第１共用空間２５４Ａと第２共用空間２５５Ａへ面した開口部が、それぞれ設けられている。
【００９１】
第１共用空間２５４Ａと第２共用空間２５５Ａが交差する中央部の第１共用空間２５４Ａ側には、エレベータ２５８Ａが設けられている。また、２階から最上階までは、第１共用空間２５４と第２共用空間２５５が交差する中央部には、エレベータ２５８Ａへの乗り降り用の通路２５９Ａが設けられている。
また、第２共用空間２５５には、２つの階段２６０Ａ、２６１Ａが向かい合って設けられている。
【００９２】
集合住宅棟２５２Ａの１階と、２階から最上階までの間取りは、ベランダの配置が相違する。即ち、１階のベランダ２７２Ａ、２７３Ａ、２７４Ａ、２７５Ａは、各住戸２６２Ａ、２６３Ａ、２６４Ａ、２６５Ａから共用空間２５４Ａ側へせり出して設けられている。一方、２階から最上階までのベランダ２７６Ａ、２７７Ａ、２７８Ａ、２７９Ａは、各住戸２６６Ａ、２６７Ａ、２６８Ａ、２６９Ａから共用空間２５４Ａの外壁側、及び共用空間２５５Ａの外壁側へ沿ってせり出して設けられている。これにより、集合住宅棟２５２Ａの中央部が吹き抜け空間とされている。
【００９３】
図１３に住戸２６８Ａの間取り例を示す。入居者は、エレベータ２５８Ａ又は階段２６１Ａで、住戸２６８Ａのフロアまで上がり、玄関２８０から室内へ入る。室内には、吹き抜けとされた共用空間２５５Ａに面してリビング・ダイニング２８１、子供室２８２が設けられ、外壁に面して和室２８３、洗面室２８４、バス・トイレ２８５、主寝室２８６が設けられている。バルコニー２７６Ａには和室２８３から出入りが可能とされ、バルコニー２７９Ａには主寝室２８６から出入りが可能とされている。
図１３に示す間取りとすることにより、住戸２６８Ａを開放感のある住戸とすることができる。他の住戸の間取りも、同様に考えればよい。
【００９４】
本実施の形態とすることにより、集合住宅棟２５２Ａ、２５２Ｂ、２５２Ｃは、屋外より空気圧が高くされているので、屋外からの環境汚染物質の進入が抑制される。また、住人や訪問者の出入りにおいて、エントランス１４で環境汚染物質の持ち込みが抑制され、集合住宅棟２５２Ａ、２５２Ｂ、２５２Ｃの内部が清浄に保たれる。
【００９５】
なお、本実施の形態では、建物群２５０の３棟全てが集合住宅棟２５２Ａ、２５２Ｂ、２５２Ｃの場合について説明した。しかし、これに限定されることはなく、集合住宅棟が３棟より多くても良いし、少なくても良い。また建物の階数は５階程度の中層階であればよい。
【００９６】
また、集合住宅棟２５２Ａ、２５２Ｂ、２５２Ｃの内部に、幼稚園の保育室、学校の教室、診療室、共用の集会所、屋内プール等の共用の運動施設、温室や植物栽培装置等の屋内植物栽培施設等が設けられていてもよい。
さらに、集合住宅棟のみでなく、小学校棟、幼稚園棟、病院棟、共用施設棟、屋内植物栽培施設棟等が、同じ建物群２５０として連結通路で連結されていてもよい。
他の構成は、第１の実施の形態と同じであり説明は省略する。
【符号の説明】
【００９７】
１０  建物群
１２  集合住宅棟（建物）
１４  エントランス
２８  屋外
４０  共用空間
４２  住戸（部屋）
１５０  連結通路  
１５１  建物群
１５２  小学校棟（建物）
１８０  建物群
１８２  幼稚園棟（建物）
２１０  建物群
２１２  病院棟（建物）
２５０  建物群
２５２  集合住宅棟（建物）
【図１】
2013170434.tif 000003
【図２】
2013170434.tif 000004
【図３】
2013170434.tif 000005
【図４】
2013170434.tif 000006
【図６】
2013170434.tif 000007
【図７】
2013170434.tif 000008
【図８】
2013170434.tif 000009
【図９】
2013170434.tif 000010
【図１０】
2013170434.tif 000011
【図１１】
2013170434.tif 000012
【図１２】
2013170434.tif 000013
【図１３】
2013170434.tif 000014
【図５】
2013170434.tif 000015